(57)【特許請求の範囲】
【請求項１】
座体が、着座した人の荷重を受けるシートと、前記シートに掛かった荷重を受けるフレームとを備えた構成になっており、前記フレームは合成樹脂製であって平面視略四角形で上下に開口している一方、前記シートはフレームに上方から重なっていてその外周部でフレームを外側から包み込んでおり、シートの外周部がフレームに固定されている、という椅子であって、
前記座体のうち少なくとも各コーナー部の箇所に、軟質材からなる緩衝材が、フレームとシートとの間に挟まれるようにして配置されており、
前記シートの外周部が接着剤でフレームに固着されていてフレームには前記接着剤を充填する溝が形成されており、
更に、前記フレームのうちシートと対向する上面は、内周方向に向けて斜め下向きに傾斜しつつ上向き凹状の断面形状になっている、
椅子。
【発明の詳細な説明】
【０００１】
【発明の属する技術分野】
本発明は、ネット状等のシートをフレームに固定して成る座を有する椅子に関するものである。
【０００２】
【従来の技術】
椅子の１タイプとして、座体及び背もたれを、表裏両側に開口したフレームと、フレームに固着（固定）したネットとで構成し、ネットによって人の身体の荷重を受けるタイプのものがある。
【０００３】
このタイプの椅子に関し、図１４で、ネット３０をフレーム３１に固定する従来技術の一例を示している。すなわち、この従来技術では、フレーム３１の外周面に環状溝３２を形成しておく一方、ネット３０の周縁を金属製心材（線材）３３に縫着しておき、心材３３を環状溝３２に強制嵌合している。
【０００４】
【発明が解決しようとする課題】
座体にしても背もたれにしても、人が着座したりもたれ掛かったりすると、シート３０にはフレーム３１から内側に引き離そうとする張力が作用する。特に、座体の場合は、シート３０に大きな内向きの張力が作用する。
【０００５】
このため、従来の構成では、シート３０のうちフレーム３１との接触箇所で破れ易いという問題があった。特に、椅子ではフレーム３１は一般に四角形に形成されているため、フレーム３１の４つのコーナー部には張力が集中的に作用しており、このため、、シート３０がフレーム３１のコーナー部で突き破られるような現象が生じており、問題であった。
【０００６】
なお、フレーム３１のうちシート３０と重なっている部分を円弧状の断面形状に形成すれば良いと考えられるが、このようなフレーム３１の断面形状の変更のみでは耐久性の向上には限度があり、特に、コーナー部での付き突き破れ現象を有効に解消するには至っていない。
【０００７】
本発明は、この問題を解決することを目的とするものである。
【０００８】
【課題を解決するための手段】
本願発明は、座体が、着座した人の荷重を受けるシートと、前記シートに掛かった荷重を受けるフレームとを備えた構成になっており、前記フレームは合成樹脂製であって平面視略四角形で上下に開口している一方、前記シートはフレームに上方から重なっていてその外周部でフレームを外側から包み込んでおり、シートの外周部がフレームに固定されている、という椅子に関する。
【０００９】
そして、本願発明では、前記座体のうち少なくとも各コーナー部の箇所に、軟質材からなる緩衝材が、フレームとシートとの間に挟まれるようにして配置されており、前記シートの外周部が接着剤でフレームに固着されていてフレームには前記接着剤を充填する溝が形成されており、更に、前記フレームのうちシートと対向する上面は、内周方向に向けて斜め下向きに傾斜しつつ上向き凹状の断面形状になっている。
【００１０】
【００１１】
【００１２】
【００１３】
【００１４】
【発明の奏する効果】
本願発明では、シートに着座による荷重が作用した場合、緩衝材のクッション作用により、シートの外周部に急激な張力が作用することを抑制できる。このため、シートの耐久性を格段に向上することができる。
【００１５】
すなわち、椅子における四角形の座体では、前記したように、フレームのコーナー部でシートに強い張力が作用するが、本願発明ではコーナー部においてシートに強い衝撃がかかることを防止できるため、椅子の座体の耐久性を向上することができる。なお、フレームの全周に延びるように緩衝材を設けても良いことはいうまでもない。
【００１６】
【００１７】
実施形態のように、シートを溶着と接着剤とによってフレームに固定すると、固定強度を向上できる。また、接着剤は固まるまでに多少の時間がかかるため、先に溶着しておくことにより、接着剤による固定を確実化することができる。
【００１８】
更に本願発明では、座体を構成するフレームの上面は内周方向に向けて斜め下向きに傾斜しつつ上向き凹状になっているため、人の身体にフィットするようにシートを伸び変形させることができる利点がある。
【００１９】
【発明の実施形態】
次に、本発明の実施形態を図面に基づいて説明する。
【００２０】
(1).第１実施形態（図１〜図６）
図１〜図６では第１実施形態を示している。
【００２１】
図１は椅子の座体１と背もたれ２のみを表示した斜視図であり、両者とも、表裏に開口したフレーム３，３′と、このフレーム３，３′に表面から重なったネット状（或いはメッシュ状）のシート４，４′とを備えており、シート４，４′の周縁はフレーム３，３′に固着されている。
【００２２】
フレーム３，３′で囲われる部位は他の支持部材が存在しない空間になっており、従って、座体１では、着座した人の荷重は、一次的にはシート４に全て作用し、二次的にはフレーム３で全て支持される。
【００２３】
図２はシート４の構造の一例を示す図であり、この例では、ストリップ状（帯状）の平繊維５と糸状繊維６とを平織している。両繊維５，６は例えばポリエステルのような合成樹脂からなっており、交叉箇所で溶着されている。
【００２４】
なお、シート４として織物を使用する場合、繊維の形状及び織り方は必要に応じて自在に設定でき、例えば、平繊維５だけ又は糸状繊維６だけで織るというように、様々の繊維を使用できる。
【００２５】
更に、織り方は平織りには限らず、綾織や綾錦織り等の様々の織り方を採用できる。いうまでもないが、シート４は織物に限らず、強度等の条件を満たせば、合成樹脂シートなど様々のものを使用できる。
【００２６】
図３は座体１の一部破断平面図、図４は図３のIV−IV視断面図である。
【００２７】
フレーム３は平面視四角形で、且つ、各コーナー部３ａは平面視で円弧状に形成されている。また、フレーム３は、全体として丸みを帯びつつ偏平に潰したような断面形状であり、シート４への負担を軽減するため、上面３ｂは内周方向に向けて斜め下向きに傾斜しつつ上向き凹状になっている。
【００２８】
シート４の外周部４ａでフレーム３を外側から包み込んでおり、シート４の端縁４ｂをフレーム３の内周寄りの下面に溶着している（溶着箇所を符号７で示す）。また、フレーム３の下面には、全周にわたって延びる環状の溝８が形成されており、溝８には、フレーム３及びシート４に対して接着性を有すると共にある程度の弾性を有する接着剤９が充填されている。接着剤９はシール剤又はコーキング剤と言い換えても良い。
【００２９】
接着剤９の素材には限定はなく様々のものを使用できるが、例えば、反応型の変性形シリコーン−エポキシ樹脂や、ポリエステル系のホットメルト接着剤などを使用できる。シート４はネット状であるため、接着剤９はシート４の表裏に貫通した状態で溝８の内部に充満している。
【００３０】
フレーム３のうちコーナー部３ａの外面には凹所１０が切り欠き形成されており、この凹所１０に、ゴムや軟質合成樹脂等の軟質材からなる緩衝材１１を重ねている。緩衝材１１の外面は、フレーム４のうち凹所１０を除いた部位の外面と滑らかに連続している。
【００３１】
凹所１０には、その全長（一部でも良い）にわたってに延びる溝１２が形成されており、他方、緩衝材１１には、前記溝１２に嵌合する突起（突条）１３が形成されている。フレーム３に溝１２を形成して、緩衝材１１に突起を形成しても良い。
【００３２】
このように、フレーム３のコーナー部３ａの外周面に緩衝材１１が重なっているため、座体１のコーナー部でシート４に強く衝撃が掛かることが抑制される。その結果、シート４の耐久性を格段に向上できるのである。また、緩衝材１１は、その突起１３が溝１２に嵌合しているため、椅子を使用しているうちにずれることもない。
【００３３】
図５に示すように、フレーム３と緩衝材１１とは別々に製造しており、緩衝材１１を後付けしている。また、フレーム３の下面のうち環状溝８の内側には、高さの低い溶着用凸条１４を設けている。
【００３４】
そして、図６に示すように、素材のシート４をフレーム３に重ねてから、溶着用突条１４の箇所でまず溶着し、次いで、ディスペンサー等を使用して接着剤９を環状溝８に注入する。これによって、シート４はフレーム３に固定される。素材シートの余長部分はカットされる。
【００３５】
本実施形態では、コーナー部での突き破れ現象が多いことから、フレーム３のコーナー部３ａのみに緩衝材１１を設けたが、フレーム３の全周に緩衝材１１を設けても良いことは言うまでもない。なお、緩衝材１１はフレーム３にインサート成形法によって一体成形したり、接着剤で接着したりしても良い。
【００３６】
本実施形態のように、緩衝材１１を設けることに加えて、フレーム３を丸みを帯びた断面形状に形成すると、シート４への負担をいっそう軽減することができる。
【００３７】
(2).第１〜第２参考例（図７〜図８）
図７に示す第１参考例では、緩衝材１１でフレーム３を包み込むように巻いている。この例では、市販されているゴム板などを使用できる利点がある。図７の参考例では、シート４の先端縁は環状溝８の内面に溶着している。
【００３８】
図８に示す第２参考例では、フレーム３の下面に広幅の環状溝８を形成し、この環状溝８に嵌まる押さえ板（又は押さえフレーム）１５によってシート４をフレーム３に固定している。押さえ板１５はねじ（図示せず）でフレーム３に固定されている。
【００３９】
(3).第２実施形態（図９）
図９に示す第２実施形態では、フレーム３のコーナー部３ａのみに緩衝材１１を設けた場合において、緩衝材１１の外周面をフレーム３の直線部よりも若干外向きに突出させている。これは、緩衝材１１の厚さを厚くしてクッション作用を高めるためである。
【００４０】
(4).第３参考例（図１０）
図１０に示す第３参考例では、フレーム３の直線部に緩衝材１１を設けて、コーナー部３ａには緩衝材を設けていない。この場合、コーナー部３ａの箇所でシート４をピンと張らずに多少の余裕を持たせることにより、コーナー部３ａでのシート４に対する突っ張り作用をなくしている。
【００４１】
(5).第３実施形態（図11）
図１１では第３実施形態を示している。（Ａ）は分離断面図、（Ｂ）は組み立てた状態での断面図である。
【００４２】
この実施形態では、フレーム３の外周には、環状の保護部材１６が嵌着している。保護部材１６は、ゴムやウレタン、オレフィン系エラストマー、発泡性塩化ビニル、発泡性ポリエチレンのような軟質の素材からなっており、その弾性に抗して広げてからフレーム３に嵌め込んでいる。
【００４３】
保護部材１６の内周面にはその全周にわたって蟻溝１６ａが形成されている一方、フレーム３の外周面には、蟻溝１６a に嵌まる突条３ｄを形成している。また、フレーム３の外面のうち突条３ｄの上方の部分は傾斜面になっており、この傾斜面の上端部に接着剤９を充填するための溝８を形成している。
【００４４】
接着剤９がフレーム３の上端部に位置しているため、シート４に対する引っ張り力によって接着剤９は圧縮作用を受ける。このため、この実施形態の場合は、接着剤９が緩衝材を兼用することになる。
【００４５】
シート４を張るに当たっては、まず、素材シートをフレーム３に重ねてから、傾斜面のうち溝８よりも外側の部位においてシート４の外周部４ａをフレーム３に溶着し、次いで、溝８に接着剤９を充填する。次いで、突条３ｄの上面を定規代わりにしてカッターで素材シートの余長部分をカットし、それから保護部材１６を嵌め込む。
【００４６】
この実施形態では、シート４の外周部４ａは保護部材１６で覆われているため、人がシート４を不用意にシート４を引き剥がすことを防止できる。また、フレーム４のうちシート４の外周部４ａが重なる部分が傾斜面になっているため、シート４との重なり面の面積を大きくすることができ、その結果、取付け強度を向上することができる。また、シート４の外周部４ａの折り曲げ角度が小さくてよいため、外周部４ａにしわができるのを抑制できる。
【００４７】
また、フレーム３の上面３ｂは、内周に向かって傾斜すると共に上向き凹状の断面形状になっており、このため、人の身体にフィットするようにシート４を変形させることができる。従って、座体１のフレームとして特に好ましい。
【００４８】
フレーム３を射出成形法によって製造する場合、図１１に一点鎖線で示すように、密着・離反自在な一対の金型１７，１８を使用して行う。この場合、突条３ｄの下端又は上端若しくは溝８の下端面を金型１７，１８の密着面とすることにより、成形後のパーティングラインを無くすことができる。
【００４９】
図１２に変形例として示すように、保護部材１６に、接着剤９を完全に覆う内向きフランジ部１６ｂを形成しても良い。このように構成すると、接着剤９の引き剥がしを防止できる。
【００５０】
また、接着剤９は外側に膨れた状態に盛り上がるため、図１２の変形例では、保護部材１６の内面に凹み１６ｃを形成している。このようにすると、保護部材１６が外向きに膨れて美感を悪化するのを防止できると共に、フランジ部１６ｂによって接着剤９を確実に隠すことができる。
【００５１】
【００５２】
(6).第４実施形態（図13）
図１３に示す第４実施形態では、第３実施形態と同様に、フレーム３には保護部材１６が外側から嵌着している。この例ではフレーム３は座受け体１９にねじ２０で固定されている。符号２１はナットである。
【図面の簡単な説明】
【図１】第１実施形態に係る椅子の座体及び背もたれの斜視図である。
【図２】シートの一例を示す平面図である。
【図３】座体の一部破断平面図である。
【図４】図３のIV−IV視断面図である。
【図５】フレームと緩衝材との分離断面図である。
【図６】シートの取付け工程の途中を示す図である。
【図７】第１参考例の断面図である。
【図８】第２参考例の断面図である。
【図９】第２実施形態の部分平面図である。
【図10】第３参考例の部分平面図である。
【図11】第３実施形態を示す図である。
【図12】第３実施形態の変形例を示す図である。
【図13】第４実施形態を示す図である。
【図14】従来例の断面図である。
【符号の簡単な説明】
１  椅子の座体
２  椅子の背もたれ
３  座体を構成するフレーム
３ａ  コーナー部
４  座体を構成するシート
４ａ  シートの外周部
４ｂ  シートの端縁
７  溶着箇所
８  環状の溝
９  接着剤
１０  凹所
１１  緩衝材
１２  溝
１３  突起
【図１】
0004058233.tif 000002
【図２】
0004058233.tif 000003
【図３】
0004058233.tif 000004
【図４】
0004058233.tif 000005
【図５】
0004058233.tif 000006
【図６】
0004058233.tif 000007
【図７】
0004058233.tif 000008
【図８】
0004058233.tif 000009
【図９】
0004058233.tif 000010
【図１０】
0004058233.tif 000011
【図１１】
0004058233.tif 000012
【図１２】
0004058233.tif 000013
【図１３】
0004058233.tif 000014
【図１４】
0004058233.tif 000015